(57)【特許請求の範囲】
【請求項１】
受具上に布設された配線・配管材の位置を移動させるための配線・配管材の移動具であって、
長尺に形成された移動具本体と、
前記移動具本体に上下方向に回動可能に設けられ、前記配線・配管材を下方から支持する支持手段と、
前記支持手段に設けられ、前記移動具本体がその長手方向を軸として水平方向に回動するに伴って一体に水平方向に回動し、支持されている前記配線・配管材を水平方向に押し寄せて該配線・配管材の位置を移動させ得る押寄部と、
前記支持手段により支持されて位置移動した前記配線・配管材を下方に落下させるため、前記支持手段による支持を解除して該支持手段を下方に回動させる解除手段と、
前記解除手段を作動させるための操作手段とを備え、
前記支持手段は、前記押寄部が前記配線・配管材を押し寄せる前から押し寄せを完了するまでの間該配線・配管材を支持していることを特徴とする配線・配管材の移動具。
【請求項２】
前記支持手段は、前記移動具本体から水平方向に延設されてなることを特徴とする請求項１に記載の配線・配管材の移動具。
【請求項３】
前記支持手段は、配線・配管材の下方から当接して、前記配線・配管材を載置する載置部を備え、
前記載置部は、移動前において前記配線・配管材を前記支持手段の延設方向と平行する状態で載置するとともに、前記移動具本体の回動により前記押寄部で押し寄せるときには前記配線・配管材を前記平行する状態から前記押寄部を軸として水平方向に回動した状態で載置すべく形成されたことを特徴とする請求項２に記載の配線・配管材の移動具。
【請求項４】
受具上に布設された配線・配管材の位置を移動させるための配線・配管材の移動具であって、
長尺のポール部と、
前記ポール部の上部に外方向にアームが延設されるとともに、下方から当接して前記配線・配管材を載置する載置部が前記アームの先端に上下方向に回動可能に取付けられてなる支持手段と、
前記支持手段の載置部に取付けられ、前記ポール部が長手方向を軸として水平方向に回動するに伴って一体に水平方向に回動し、前記載置部に載置されている前記配線・配管材を水平方向に押し寄せて該配線・配管材の位置を移動させ得る押寄部と、
前記支持手段の載置部に載置されて位置移動した前記配線・配管材を下方に落下させるため、前記支持手段による支持を解除して前記載置部を下方に回動させる解除手段と、
前記解除手段を作動させるための操作手段とを備え、
前記支持手段は、前記押寄部が前記配線・配管材を押し寄せる前から押し寄せを完了するまでの間該配線・配管材を支持していることを特徴とする配線・配管材の移動具。
【請求項５】
前記解除手段は、前記支持手段の下方への回動を防止すべく前記支持手段と掛合し、前記操作手段の操作により前記掛合を解除すべく作動する掛合部を備えたことを特徴とする請求項１乃至請求項４のいずれか１項に記載の配線・配管材の移動具。
【請求項６】
前記操作手段は、移動具本体の下部またはポール部の下部に設けられたことを特徴とする請求項１乃至請求項５のいずれか１項に記載の配線・配管材の移動具。
【発明の詳細な説明】
【０００１】
【発明の属する技術分野】
本発明は、ケーブル等の配線や電線管等の配管材をケーブルラックやダクト等の受具に布設するときに使用する配線・配管材の移動具に関するもので、特に、布設方向に引込路と収容路とに区画形成された受具に複数の配線・配管材を布設するときに使用する配線・配管材の移動具に関するものである。
【０００２】
【従来の技術】
従来より、建物内や駅構内等において配線・配管材を布設するためにケーブルラックやダクト等の受具が使用されている。
配線・配管材の受具への布設に関しては、特開平８−２８０１１６号公報等に記載の技術が開示されている。
【０００３】
しかし、従来の配線・配管材の受具は、複数の配線・配管材を布設する場合において、先の配線・配管材を布設した後、次の配線・配管材を布設するとき、既設の配線・配管材と接触して大きな引込抵抗を受けるため引込みが困難であった。また、既設の配線・配管材の布設状態を乱すことがあった。更に、配線・配管材同士の接触によってきずが付き易く、相互に絡み合った状態で引き込めば、破損、断線のおそれもあって危険であった。
【０００４】
このため、出願人は、先の特願平９−３６１３９９号の出願において、複数の配線・配管材をきず付けることなく、順次円滑かつ楽に布設、収容できる受具への配線・配管材の布設方法の技術を開示している。
この受具への配線・配管材の布設方法は、配線・配管材の布設方向に区画形成された引込路と収容路とを備えた受具の前記引込路に、引込手段により前記配線・配管材を引き込んだ後、移動手段により前記引込路に引き込まれた前記配線・配管材を前記収容路に移動させて布設するものである。
【０００５】
【発明が解決しようとする課題】
ところで、一般に、ケーブルラック等の受具は高所に設置されていることが多い。したがって、前記特願平９−３６１３９９号の出願において、一旦受具の引込路に引き込まれた配線・配管材を収容路に移動する作業も高所作業となることが多いため、高所に登っての作業は危険であり、また、作業効率も良くない。
【０００６】
そこで、本発明は、高所に設置された受具においても一旦引き込まれた配線・配管材を楽にかつ安全に所定位置に移動させることができる配線・配管材の移動具の提供を課題とするものである。
【０００７】
【課題を解決するための手段】
請求項１の発明にかかる配線・配管材の移動具は、長尺に形成された移動具本体と、前記移動具本体に上下方向に回動可能に設けられ、前記配線・配管材を下方から支持する支持手段と、前記支持手段に設けられ、前記移動具本体がその長手方向を軸として水平方向に回動するに伴って一体に水平方向に回動し、支持されている前記配線・配管材を水平方向に押し寄せて該配線・配管材の位置を移動させ得る押寄部と、前記支持手段により支持されて位置移動した前記配線・配管材を下方に落下させるため、前記支持手段による支持を解除して該支持手段を下方に回動させる解除手段と、前記解除手段を作動させるための操作手段とを備え、前記支持手段は、前記押寄部が前記配線・配管材を押し寄せる前から押し寄せを完了するまでの間該配線・配管材を支持しているものである。
【０００８】
請求項２の発明にかかる配線・配管材の移動具は、請求項１に記載の支持手段が、前記移動具本体から水平方向に延設されてなるものである。
【０００９】
請求項３の発明にかかる配線・配管材の移動具は、請求項２に記載の支持手段が、配線・配管材の下方から当接して、前記配線・配管材を載置する載置部を備え、前記載置部は、移動前において前記配線・配管材を前記支持手段の延設方向と平行する状態で載置するとともに、前記移動具本体の回動により前記押寄部で押し寄せるときには前記配線・配管材を前記平行する状態から前記押寄部を軸として水平方向に回動した状態で載置すべく形成されたものである。
【００１０】
請求項４の発明にかかる配線・配管材の移動具は、長尺のポール部と、前記ポール部の上部に外方向にアームが延設されるとともに、下方から当接して前記配線・配管材を載置する載置部が前記アームの先端に上下方向に回動可能に取付けられてなる支持手段と、前記支持手段の載置部に取付けられ、前記ポール部が長手方向を軸として水平方向に回動するに伴って一体に水平方向に回動し、前記載置部に載置されている前記配線・配管材を水平方向に押し寄せて該配線・配管材の位置を移動させ得る押寄部と、前記支持手段の載置部に載置されて位置移動した前記配線・配管材を下方に落下させるため、前記支持手段による支持を解除して前記載置部を下方に回動させる解除手段と、前記解除手段を作動させるための操作手段とを備え、前記支持手段は、前記押寄部が前記配線・配管材を押し寄せる前から押し寄せを完了するまでの間該配線・配管材を支持しているものである。
【００１１】
請求項５の発明にかかる配線・配管材の移動具は、請求項１乃至請求項４のいずれか１項に記載の解除手段が、前記支持手段の下方への回動を防止すべく前記支持手段と掛合し、前記操作手段の操作により前記掛合を解除すべく作動する掛合部を備えたものである。
【００１２】
請求項６の発明にかかる配線・配管材の移動具は、請求項１乃至請求項５のいずれか１項に記載の操作手段が、移動具本体の下部またはポール部の下部に設けられたものである。
【００１６】
【発明の実施の形態】
本発明の実施例の配線・配管材の移動具を図１乃至図１６に基づいて説明する。
図において、配線・配管材Ｗが布設される受具１は金属製の丸棒２ａを四角枠状に屈曲した複数の枠状体の相互を水平方向の直線状の金属製の丸棒２ａで連結して筒枠状の受具本体２を形成し、図１５及び図１６に示すような一定断面の内部空間を長手方向即ち布設方向に形成したものである。但し、前記受具本体２は、筒枠状の底面部の中央において布設方向に沿って開口が形成されており、その開口端部の丸棒２ａは上方に屈曲し、所定高さの左右一対の仕切部３が形成されている。この受具本体２の内部空間は内部側に立設した前記仕切部３によって区画され、開口の形成されている中央部には前記配線・配管材Ｗを引込むための引込路４が後述の引込路形成部材１１によって形成されている。また、受具本体２の内部空間の左右には配線・配管材Ｗを収容する収容路５が形成されている。前記仕切部３の上端と受具本体２の上面部７との間には配線・配管材Ｗを水平方向に移動できる移動空間６が形成され、引込路４と収容路５とが連通するようになっている。
【００１７】
前記引込路４には、略コ字状に形成された一定幅の金属板、合成樹脂板等からなる支持板１１ａにローラ１２が枢着されてなる引込路形成部材１１が布設方向に所定間隔で取付けられている。前記引込路形成部材１１は両端部が外方に折曲する掛止部１１ｂによって前記受具本体２の左右一対の仕切部３の上端部における丸棒２ａに着脱自在に架設されている。
【００１８】
一方、移動具１４は長尺の円筒からなるポール部１５の上部先端にアーム１６が水平方向に延設されており、そのアーム１６の先端部に取付けられた２枚の板材からなるアーム支持板１６ａには配線・配管材Ｗを下方から支持するケーブル受け１７が略９０度の範囲で上下方向に回動可能に取付けられている。ここで、前記ポール部１５は請求項の移動具本体に、前記ケーブル受け１７は請求項の支持手段の載置部に相当する。前記ケーブル受け１７は直交する２個の円柱１７ａ、円柱１７ｂの間に三角形状の支持板１７ｃが水平面上に取付けられたものであり、移動具１４の操作によって前記円柱１７ａ、円柱１７ｂのいずれか及び支持板１７ｃにおいて配線・配管材Ｗを載置するものである。前記円柱１７ａ及び円柱１７ｂは配線・配管材Ｗのきず付き防止のため、外周が塩化ビニルなどの合成樹脂で被覆されている。ピン体１７ｆは後述のように移動具１４を水平方向に回動操作したときに配線・配管材Ｗに側方から当接し、前記配線・配管材Ｗを引込路４から収容路５側に押寄せるものであり、請求項の押寄部に相当する。なお、ポール部１５は自身の長さが伸縮可能なものとしてもよく、この場合は、受具１の設置高さに自在に対応して操作することができる。
【００１９】
前記ケーブル受け１７は通常は前記アーム支持板１６ａの２枚の板材の間で回動するラチェット掛止部１７ｄがその上方に配設されたラチェット１８と掛止して水平方向に保持されている。前記ラチェット１８は請求項の解除手段の掛合部に相当し、ラチェット引き板１８ａを介してポール部１５の上端部の回動体１８ｂに連結されており、更に、この回動体１８ｂは軸部１８ｃを軸として、レバー１９を操作することにより、ポール部１５内に挿通されたワイヤ２０を介して略９０度上下方向に回動できるようになっている。ここで、前記レバー１９は請求項の操作手段に相当する。
【００２０】
このように構成された移動具１４はレバー１９を握ることによってワイヤ２０を介して回動体１８ｂが図３の時計方向に略９０度回動し、ラチェット１８が図３の時計方向に回動する。そして、これによって、ケーブル受け１７との掛合が解除され、前記ケーブル受け１７はその自重により、図３及び図４に示す水平位置から、軸部１７ｅを軸として図の反時計方向に回動し、図５及び図６に示すように、垂直方向に垂れ下がるようになっている。
【００２１】
次に、上記のように構成された受具に配線・配管材を布設する方法を図７乃至図１４に基づいて説明する。
まず、受具１の引込路４に配線・配管材Ｗを引き込む方法を図７乃至図１１に基づいて説明する。
引込路４に配線・配管材Ｗを引き込むには各種の方法があるが、ここでは、図７に示す引込具２１を使用して引き込む場合を示す。
【００２２】
図７に示す引込具２１は、スキー板状に形成されて引込路４に案内される先頭部２２と、前記先頭部２２の後端に接続され、前記引込路４に送り込み可能かつ巻回可能な剛性を有する剛性長尺部２３とで形成されている。前記先頭部２２は引込路４を移動可能な一定幅の板材で形成され、全体が少なくと３個の引込路形成部材１１に跨ってその引込路形成部材１１間から落下しない長さ即ち図８の２スパンである２Ｌ以上の長さに形成されている。また、引込具２１の先頭部２２は押込み時に引込路形成部材１１のローラ１２につかえて押込み不能となるのを防止すべく、先端部を所定角度上方に湾曲させている。取付孔２２ａは後述の牽引ロープ２４または配線・配管材Ｗ等を接続するための孔である。なお、剛性長尺部２３は板材で形成しているが、それに限られることはなく、例えば、断面が円形或いは方形の線材で形成してもよい。
【００２３】
このように構成された前記引込具２１を使用して引込路４に配線・配管材Ｗを引き込むには、まず、図８及び図９に示すように、先頭部２２を引込路４の引込路形成部材１１に載置し、この先頭部２２を案内として剛性長尺部２３を押込んで引込具２１を受具１の一端側から送り込み、引込路４上に他端まで載置する。次に、他端側で引込具２１の取付孔２２ａに牽引ロープ２４の先端部を接続し、図１０に示すように、前記引込具２１を引き戻す。そして、前記牽引ロープ２４を引込路４全体に至って載置した後は、前記牽引ロープ２４の先端または後端に周知の網袋状のケーブル保持体２５の収束部を接続するとともに、前記ケーブル保持体２５の他端部を配線・配管材Ｗの先端部に被着し、図１１に示すように、前記牽引ロープ２４を引き戻す。これによって、配線・配管材Ｗは引込路４の引込路形成部材１１上に載置される。なお、配線・配管材Ｗは牽引ロープ２４を介して引込路４に載置しているが、必ずしもこれに限るものではなく、引込具２１に直接配線・配管材Ｗを接続して引き戻してもよい。また、引込具２１の送り込みとともに、牽引ロープ２４も同時に送り込み、他端側で配線・配管材Ｗを接続して引き戻すようにすることもできる。
【００２４】
なお、配線・配管材Ｗは受具１において布設路の引込路形成部材１１間の任意の開口から引込路４に引き込むこともでき、この場合、引込路形成部材１１のローラ１２によって引き込む際の配線・配管材Ｗのきず付きが防止される。
【００２５】
このようにして、引込路形成部材１１上に配線・配管材Ｗを載置し、引込路４に引込んだ後は、前記配線・配管材Ｗを図１５に示す状態から移動空間６を通して受具１の幅方向に移動させ、図１６に示すような状態に、収容路５内に収容する。
【００２６】
次に、引込路４に引き込まれた、図１５に示す状態の配線・配管材Ｗを、移動具を１４を使用して、移動空間６から収容路５内に載せ替えて図１６の状態に収容する操作を図１、図３乃至図６、図１２乃至図１４に基づいて説明する。
【００２７】
まず、高所に設置されている受具１において、図１２に示すように、下方から移動具１４を引込路４に載置されている配線・配管材Ｗに向けて真上に押上げ、図１に示すように、受具１の引込路４における引込路形成部材１１間の細長の開口に挿入し、ケーブル受け１７上に配線・配管材Ｗを載置する。次に、移動具１４を更に押上げて配線・配管材Ｗを仕切部３の上端より上方まで持上げ、その状態で、図１３に示すように、移動具１４のポール部１５を略９０度水平方向に回動する。これにより、ケーブル受け１７における配線・配管材Ｗはピン体１７ｆを当接支点として押し曲げられて円柱１７ｂの載置位置から円柱１７ａの載置位置に移動しつつ収容路５の上方に押寄せられる。そこで、移動具１４のレバー１９を握ってラチェット１８の掛合を解除すれば、図１４に示すように、ケーブル受け１７は下方に略９０度回動するため、前記ケーブル受け１７上に載置されていた配線・配管材Ｗは収容路５上に落とし込まれる。このようにして、その部分の配線・配管材Ｗは引込路４から収容路５に載せ替えられる。この操作を順次布設方向に移動しながら布設路の一端側から他端側に向かって行なうことにより、布設路全体に至って配線・配管材Ｗを移動し、載せ替えることができる。
【００２８】
以下、第２番目以降の配線・配管材Ｗを布設する場合も同様の操作を繰返せばよい。なお、先の配線・配管材Ｗは、次に布設する予定の配線・配管材Ｗのための収容空間を確保すべく、収容路５内において幅方向のいずれか一側に片寄せしておくのが望ましい。
【００２９】
このように、本実施例の配線・配管材の移動具は、移動具本体としてのポール部１５のアーム１６の先端に、受具１の引込路４に一旦引き込まれた配線・配管材Ｗに下方から当接して載置する載置部としてのケーブル受け１７を下方向に回動自在に保持し、前記ケーブル受け１７に、前記ポール部１５を水平方向に回動するに伴って前記ケーブル受け１７に載置された配線・配管材Ｗに側方から当接して収容路５側に押寄せる押寄部としてのピン体１７ｆを取付けるとともに、前記ポール部１５の下部から操作して前記アーム１６への前記ケーブル受け１７の保持を解除して前記ケーブル受け１７を下方向に回動させ、前記ケーブル受け１７に載置された前記配線・配管材Ｗを収容路５に落下させる操作手段を設けたものである。
【００３０】
したがって、布設方向に引込路４と収容路５とに区画形成された受具１において、前記受具１が高所に設置されている場合でも、移動具１４を使用することにより、高所に登ることなく、一旦受具１の引込路４に引き込まれた配線・配管材Ｗを収容路５に移動する作業を楽にかつ安全に行なうことができる。
【００３１】
なお、配線・配管材Ｗは受具１の収容路５に直接布設するものではなく、一旦、引込路４に引き込んだ後、単に収容路５に移し替えるだけの操作で布設するものであるから、収容路５内に既設の配線・配管材Ｗが存在する状態で次の配線・配管材Ｗを布設するときに、既設の配線・配管材Ｗと接触して大きな引込抵抗を受けることがない。その結果、円滑かつ楽に配線・配管材Ｗを布設することができる。また、既設の配線・配管材Ｗの布設状態を乱すこともない。更に、配線・配管材Ｗ同士は摺動方向の接触による抵抗を受けることがないため、相互のきず付きを防止でき、かつ、相互に絡み合うこともないので、配線・配管材Ｗの破損、断線を確実に防止することができる。
【００３２】
ところで、上記実施例の移動具１４は、図１７に示すように、別途にケーブル受け１７のピン体１７ｆにワイヤ２０ａの先端部を取付けるとともに、前記ワイヤ２０ａをポール部１５の内部に挿通し、更に、図示しないが、ポール部１５の下端部において、前記ワイヤ２０ａの他端部にレバーを増設してもよい。
【００３３】
この実施例の移動具１４を使用した場合には、配線・配管材を収容路５に落下させた後、レバーを把持してワイヤ２０ａを引き戻し、ケーブル受け１７を水平方向に戻す。次いで、前記ケーブル受け１７を水平方向に戻した後、レバー１９を開放状態とすることによってワイヤ２０を二点鎖線で示す矢印方向に上動させ、ラチェット１８を水平方向に戻されているケーブル受け１７のラチェット掛止部１７ｄに掛止させることができる。これによって、ケーブル受け１７を、新たな配線・配管材Ｗを載置可能な待機状態に復帰させることができる。この結果、ワイヤ及びレバーをそれぞれ増設したことによって、布設方向に場所を移動しながら移動具１４で引込路４の配線・配管材Ｗを収容路５に移動させるに際し、場所を移動する都度前記移動具１４を降ろして載置可能な待機状態に復帰させる煩雑さを省くことができるため、作業を楽に行なうことができる。
【００３４】
また、前記アーム１６及びラチェット引き板１８ａは、その水平方向への突出長さを周知の手段によって可変できるようにしてもよい。この場合には、収容路５の巾寸法の異なる各種の受具１に対して１種類の移動具１４で対応することができる。
【００３５】
更に、この実施例では、解除手段の掛合部としてラチェット１８を使用しているが、これに限定されるものではなく、例えば、周知の電磁ロックにより掛合、解除させることもできる。
【００３６】
加えて、前記ポール部１５を上端部で分割し、上端部のみを水平方向に回動可能とし、モータ等の駆動手段を使用して首振り構造とし、ポール部１５の下部に切替スイッチを取付けて駆動を制御できるようにすることもできる。この場合は、配線・配管材Ｗを移動させる時にポール部１５に回動方向のトルクが発生するが、駆動手段がその負荷を負担するので、移動具１４で配線・配管材Ｗを移動させる作業が楽になる。
【００３７】
なお、上記実施例においては、配線・配管材Ｗを引込路４に引き込むのに引込具２１を使用しているが、例えば、図１８に示すように、受具１にシュータ８を設け、このシュータ８に引込具４１のシャトル４２を挿通して配線・配管材Ｗを引き込むこともできる。
図１８において、受具１は図１に示した受具１の受具本体２の上面部７の中央に布設方向にシュータ８が一体に取付けられたものである。このシュータ８は下方に布設方向に連続して開口が形成されている。
【００３８】
一方、引込具４１は先端部が紡錘状に形成されたシャトル４２と、このシャトル４２の後端に接続されて剛性を有する布設ロープ４３とで形成されており、前記シャトル４２の下部には接続孔４４ａを介して牽引ロープが接続される連結板４４が取付けられている。
【００３９】
この引込具４１を使用して配線・配管材Ｗを布設するには、まず、引込具４１の剛性を有する布設ロープ４３を送り込んでシャトル４２を受具１の一端側開口からシュータ８内に挿通する。次に、図１０及び図１１に示した手順と同様の操作で、他端側で引込具４１の連結板４４に牽引ロープを接続し、この牽引ロープを引き戻す。
【００４０】
そして、前記牽引ロープを引込路４全体に至って載置した後は、前記牽引ロープの前端または後端に周知の網袋状のケーブル保持体の収束部を接続するとともに、前記ケーブル保持体の他端部を配線・配管材Ｗの先端部に被着し、前記牽引ロープを引き戻す。これによって、配線・配管材Ｗを引込路４の引込路形成部材１１上に載置することができる。
【００４１】
また、上記各実施例では、受具１は丸棒２ａを使用してメッシュタイプのものとしているが、本発明を実施する場合には、例えば、図１９に示すように、板材を屈曲させて底面中央部に開口を形成し、その開口の両側に立設した仕切部３の間に引込路形成部材１１を架設したものとしてもよく、この場合にも、移動具１４を使用して同様の操作で配線・配管材Ｗを布設することができる。
【００４２】
更に、上記各実施例では、受具１の受具本体２は、上面を閉塞した枠状タイプのものを示しているが、これに限定されるものではなく、図２０に示すように、上方開口のラックタイプのものにも同様に適用することができる。
【００４３】
加えて、引込路形成部材１１は底面中央部の開口に架設したものを示しているが、同じく図２０に示すように、受具本体２の一側面に取付けたものにも同様に適用することができる。
【００４４】
ところで、上記各実施例では、移動具１４は、引込路４と収容路５とで区画形成された受具１において、一旦配線・配管材Ｗを引込路４に引込んだ後、前記移動具１４を水平方向に回動させて収容路５に移動させる場合に使用しているが、本発明を実施する場合は、これに限定されるものではなく、例えば、左右一対の親桁間に布設方向に所定間隔で複数の子桁を架設して梯子状に形成した受具において、移動具１４を水平方向に回動させることなく、受具に載置された配線・配管材Ｗを単に一側に片寄せするのに使用することもできる。この場合は、受具上に既に載置された配線・配管材Ｗを子桁間に下方から挿入した移動具１４の載置部で支持し、移動具１４を押上げた後、そのままの姿勢で受具の巾方向の一側に移動させ、載置部の掛合を解除して配線・配管材Ｗを受具の一側に落下させる。なお、これに使用する移動具１４の載置部は配線・配管材Ｗの荷重によってポール部１５に加わるモーメントを小さくするべく、水平方向の突出長さを短かくし、ポール部１５側に寄せておくのが望ましい。このような使い方は受具上に複数の配線・配管材Ｗを順次整列して円滑に布設する場合などで効果を奏する。
【００４５】
また、上記各実施例では、移動具１４の載置部は下方に回動させて配線・配管材Ｗを落下させているが、前記配線・配管材Ｗを落下させるには、載置部を下方に回動させる手段に限られるものではない。
【００４６】
【発明の効果】
以上のように、本発明の配線・配管材の移動具は、長尺に形成された移動具本体と、前記移動具本体に設けられ、前記配線・配管材を支持する支持手段と、前記支持手段に設けられ、前記移動具本体がその長手方向を軸として水平方向に回動するに伴って一体に水平方向に回動し、支持された前記配線・配管材を水平方向に押し寄せて該配線・配管材の位置を移動させ得る押寄部と、前記支持手段により支持されて位置移動した前記配線・配管材を下方に落下させるため、前記支持手段による支持を解除する解除手段と、前記解除手段を作動させるための操作手段とを備えたものである。したがって、受具が高所に設置されている場合でも、移動具を使用することにより、高所に登ることなく、配線・配管材を所定位置に楽にかつ安全に移動させることができる。
【図面の簡単な説明】
【図１】  本発明の実施例における配線・配管材の移動具を示す斜視図である。
【図２】  図１の受具を示す斜視図である。
【図３】  図１の移動具を示す正面図である。
【図４】  図３の移動具を示す要部斜視図である。
【図５】  図３の移動具においてケーブル受けが下方に回動した状態を示す正面図である。
【図６】  図３の移動具においてケーブル受けが下方に回動した状態を示す要部斜視図である。
【図７】  図２の受具の引込路に配線・配管材を引き込むために使用する引込具を示す斜視図である。
【図８】  図２の受具の引込路に配線・配管材を引き込む方法を説明する側面図である。
【図９】  図２の受具の引込路に配線・配管材を引き込む方法を説明する平面図である。
【図１０】  図２の受具の引込路に配線・配管材を引き込む方法を説明する側面図である。
【図１１】  図２の受具の引込路に配線・配管材を引き込む方法を説明する側面図である。
【図１２】  図３の移動具を受具の引込路に向けて押上げる状態を示す斜視図である。
【図１３】  図３の移動具の載置部に載置された配線・配管材を収容路側に移動させる状態を示す斜視図である。
【図１４】  図３の移動具の載置部に載置された配線・配管材を収容路上に落下させる状態を示す斜視図である。
【図１５】  図２の受具の引込路に配線・配管材を引き込んだ状態を示す正面図である。
【図１６】  図２の受具の収容路に配線・配管材を収容した状態を示す正面図である。
【図１７】  本発明の別の実施例の移動具を示す要部斜視図である。
【図１８】  本発明の実施例に適用する別の受具及び引込具を示す斜視図である。
【図１９】  本発明の実施例に適用する更に別の受具を示す斜視図である。
【図２０】  本発明の実施例に適用する更に別の受具を示す斜視図である。
【符号の説明】
１      受具
４      引込路
５      収容路
１４    移動具
１５    ポール部
１６    アーム
１７    ケーブル受け
１７ａ、１７ｂ  円柱
１７ｃ  支持板
１７ｄ  ラチェット掛止部
１７ｆ  ピン体
１８    ラチェット
１８ａ  ラチェット引き板
１９    レバー
２０、２０ａ  ワイヤ
Ｗ      配線・配管材
【図１】
0003671363.tif 000002
【図２】
0003671363.tif 000003
【図３】
0003671363.tif 000004
【図４】
0003671363.tif 000005
【図５】
0003671363.tif 000006
【図６】
0003671363.tif 000007
【図７】
0003671363.tif 000008
【図８】
0003671363.tif 000009
【図９】
0003671363.tif 000010
【図１０】
0003671363.tif 000011
【図１１】
0003671363.tif 000012
【図１２】
0003671363.tif 000013
【図１３】
0003671363.tif 000014
【図１４】
0003671363.tif 000015
【図１５】
0003671363.tif 000016
【図１６】
0003671363.tif 000017
【図１７】
0003671363.tif 000018
【図１８】
0003671363.tif 000019
【図１９】
0003671363.tif 000020
【図２０】
0003671363.tif 000021